(57)【要約】    【課題】      パスサーチ精度及び受信品質を劣化させることなく、同期確立移行時間を短くすること。    【解決手段】  制御部１０６は、遅延プロファイル平均部１０２が処理する遅延プロファイル平均化長を、同期判定部１０５の判定結果が、信号無入力時（同期外れ時）には小さくして応答性を高め、信号が入力した時に即座にパス検出ができるように、つまり同期確立移行時間を早めるようにし、また信号入力時（同期確立時）には大きくして雑音の影響を低減し、パス検出精度及び受信品質を高めるようにしている。  【選択図】      図１
2006086659.tif 000002
【特許請求の範囲】
【請求項１】
受信信号から遅延プロファイルを作成し、前記遅延プロファイルの相関ピークを検出して電波の到来パスを検出し、ＲＡＫＥ合成受信を行うＣＤＭＡ受信装置において、
同期状態を監視して信号入力無しの同期外れ時ではパス位相の検出に対する応答性を高めて信号入力を待機し、信号入力有りの同期確立時ではパス位相の検出に対する応答性を緩やかにする制御手段、を具備することを特徴とするＣＤＭＡ受信装置。
【請求項２】
前記制御手段は、前記遅延プロファイルの平均化長を、同期外れ時では小さく、同期確立時では大きくすることを特徴とする請求項１記載のＣＤＭＡ受信装置。
【請求項３】
前記制御手段は、前記遅延プロファイルの平均化処理で用いる忘却係数を、同期外れ時では小さく、同期確立時では大きくすることを特徴とする請求項２記載のＣＤＭＡ受信装置。
【請求項４】
前記制御手段は、前記遅延プロファイルの平均化処理で用いる遅延プロファイル作成周期を、同期外れ時では小さく、同期確立時では大きくすることを特徴とする請求項２記載のＣＤＭＡ受信装置。
【請求項５】
前記制御手段は、前記パス位相の検出に対する保護段数を、同期外れ時では小さく、同期確立時では大きくすることを特徴とする請求項１記載のＣＤＭＡ受信装置。
【請求項６】
請求項１から請求項５のいずれかに記載のＣＤＭＡ受信装置を具備することを特徴とする基地局装置。
【発明の詳細な説明】
【技術分野】
【０００１】
本発明は、直接拡散符号分割多元接続（ＤＳ−ＣＤＭＡ）方式による移動通信システムにおいて用いるＣＤＭＡ受信装置に関する。
【背景技術】
【０００２】
ＣＤＭＡ受信装置では、複数のフィンガを用いてＲＡＫＥ受信合成を行う際に、遅延プロファイルの相関ピークを検出して電波の到来パスを検出している。そして、雑音やフェージング等の影響を少なくするために遅延プロファイルを平均してパス検出精度を向上させている（例えば、特許文献１）。
【０００３】
また、例えば、復調データのＳＩＲ（Signal-to-Interference power Ratio：希望波対干渉波電力比）あるいはＢＥＲ（Bit Error Rate：ビット誤り率）に基づき、受信信号と逆拡散タイミングとの同期が確立しているか、外れているかの同期状態を判定し、パスサーチや送信電力を同期状態に応じて制御し通信品質を向上させている。
【０００４】
そして、信号無入力状態から信号が入力された時に、同期判定結果が同期外れから同期確立へと移行する過程で送信電力を上げるように送信電力制御を行う場合には、この同期確立移行時間が長いと、送信電力が無駄に消費され、また他ユーザでの雑音レベルが増加することになる。また、同期が確立してからデータ復調を開始するので、同期確立移行時間が長いと、データが得られるまでの時間が長くなってしまう。したがって、同期確立移行時間は、極力、短いことが望まれる。
【特許文献１】特開２００１−２４５５７号公報
【発明の開示】
【発明が解決しようとする課題】
【０００５】
しかしながら、従来のＣＤＭＡ受信装置においては、遅延プロファイル平均化長が大きい場合には、信号入力時の応答性が悪くなり、同期確立移行時間が長くなってしまう。同期確立移行時間を短くするために遅延プロファイル平均化長を小さくすると、雑音等の影響でパスサーチ精度及び受信品質が劣化してしまうという問題がある。
【０００６】
本発明は、かかる点に鑑みてなされたものであり、パスサーチ精度及び受信品質を劣化させることなく、同期確立移行時間を短くすることのできるＣＤＭＡ受信装置を提供することを目的とする。
【課題を解決するための手段】
【０００７】
かかる課題を解決するため、本発明に係るＣＤＭＡ受信装置は、受信信号から遅延プロファイルを作成し、前記遅延プロファイルの相関ピークを検出して電波の到来パスを検出し、ＲＡＫＥ合成受信を行うＣＤＭＡ受信装置において、同期状態を監視して信号入力無しの同期外れ時ではパス位相の検出に対する応答性を高めて信号入力を待機し、信号入力有りの同期確立時ではパス位相の検出に対する応答性を緩やかにする制御手段、を具備する構成を採る。
【０００８】
この構成によれば、信号が入力した時に即座にパスを検出すること、つまり同期確立移行時間を早めることができる。また、信号入力時（同期確立時）では、雑音の影響を低減し、パス検出精度及び受信品質を高めることができる。
【０００９】
本発明に係るＣＤＭＡ受信装置は、上記の発明において、前記制御手段は、前記遅延プロファイルの平均化長を、同期外れ時では小さく、同期確立時では大きくする構成を具備するようにした。
【００１０】
この構成によれば、同期状態に基づき遅延プロファイルの平均化長を制御することによって、パスサーチ精度及び受信品質を劣化させることなく、同期確立移行時間を短くすることができる。
【００１１】
本発明に係るＣＤＭＡ受信装置は、上記の発明において、前記制御手段は、前記遅延プロファイルの平均化処理で用いる忘却係数を、同期外れ時では小さく、同期確立時では大きくする構成を具備するようにした。
【００１２】
この構成によれば、同期状態に基づき、遅延プロファイルの平均化処理で用いる忘却係数を制御することによって、遅延プロファイルの平均化長を制御することができる。
【００１３】
本発明に係るＣＤＭＡ受信装置は、上記の発明において、前記制御手段は、前記遅延プロファイルの平均化処理で用いる遅延プロファイル作成周期を、同期外れ時では小さく、同期確立時では大きくする構成を具備するようにした。
【００１４】
この構成によれば、同期状態に基づき、遅延プロファイルの平均化処理で用いる遅延プロファイル作成周期を制御することによって、遅延プロファイルの平均化長を制御することができる。
【００１５】
本発明に係るＣＤＭＡ受信装置は、上記の発明において、前記制御手段は、前記パス位相の検出に対する保護段数を、同期外れ時では小さく、同期確立時では大きくする構成を具備するようにした。
【００１６】
この構成によれば、同期状態に基づきパス位相の検出に対する保護段数を制御することによって、パスサーチ精度及び受信品質を劣化させることなく、同期確立移行時間を短くすることができる。
【００１７】
本発明に係る基地局装置は、上記の発明のいずれかと同構成のＣＤＭＡ受信装置を具備する構成を採る。
【００１８】
この構成によれば、ＣＤＭＡ移動通信システムにおける基地局装置において、上記の発明のいずれかと同様の作用効果を得ることができる。
【発明の効果】
【００１９】
本発明によれば、パスサーチ精度及び受信品質を劣化させることなく、同期確立移行時間を短くすることができる。
【発明を実施するための最良の形態】
【００２０】
本発明の骨子は、遅延プロファイル平均化長とパス検出における後方保護段数の何れか一方を、信号入力無しの同期外れ時では小さくする制御を行い、信号入力有りの同期確立時では大きくする制御を行うことで、パスサーチ精度及び受信品質を劣化させることなく、同期確立移行時間を短くすることである。遅延プロファイル平均化長の制御では、忘却係数と遅延プロファイル作成周期の何れか一方を制御する。
【００２１】
以下、本発明の実施の形態について図面を参照して詳細に説明する。
【００２２】
（実施の形態１）
図１は本発明の実施の形態１に係るＣＤＭＡ受信装置の構成を示すブロック図である。図１に示すＣＤＭＡ受信装置１００は、受信信号が入力する遅延プロファイル作成部１０１と、遅延プロファイル作成部１０１の出力を受ける遅延プロファイル平均部１０２と、遅延プロファイル平均部１０２の出力を受けるパス検出部１０３と、受信信号とパス検出部１０３の出力とが入力するフィンガ部１０４と、フィンガ部１０４の出力の一部が入力する同期判定部１０５と、同期判定部１０５の出力を受ける制御部１０６とを備えている。制御部１０６の出力は、遅延プロファイル平均部１０２に与えられる。
【００２３】
以上のように構成される実施の形態１に係るＣＤＭＡ受信装置の動作を説明する。アンテナ出力である受信信号は、遅延プロファイル作成部１０１とフィンガ部１０４とに入力される。遅延プロファイル作成部１０１は、所定の周期ｎで受信信号と拡散コードとの相関を取り、遅延プロファイルを作成し、遅延プロファイル平均部１０２に与える。
【００２４】
遅延プロファイル平均部１０２は、その所定の周期ｎで作成された遅延プロファイルを例えば式（１）で示されるＩＩＲフィルタの演算を行って平均化し、パス検出部１０３に出力する。
ＰＦａｖｅ［ｎ］＝ＰＦａｖｅ［ｎ−１］×α＋ＰＦ［ｎ］×（１−α）  …（１）
但し、式（１）において、ＰＦａｖｅ［ｎ］は遅延プロファイル作成周期ｎの平均化後遅延プロファイルである。ＰＦ［ｎ］は遅延プロファイル作成周期ｎの平均化前遅延プロファイルである。また、αは、忘却係数であり、この実施の形態１では制御部１０６が指示する値を用いるようになっている。
【００２５】
つまり、遅延プロファイル平均部１０２は、遅延プロファイル作成部１０１が所定の周期ｎで作成した遅延プロファイルを、制御部１０６から指定された平均化長で平均化するようになっている。
【００２６】
パス検出部１０３は、遅延プロファイル平均部１０２にて平均化処理された遅延プロファイルの相関値ピークを検出して有効なパス位相を検出し、フィンガ部１０４に与える。フィンガ部１０４は、パス検出部１０３からのパス位相で受信信号を逆拡散し、逆拡散信号を得る。この逆拡散信号は、同期判定部１０５に出力されるとともに、後段のＲＡＫＥ受信合成系に出力される。
【００２７】
同期判定部１０５は、フィンガ部１０４にて得られた逆拡散信号から例えばＳＩＲあるいはＢＥＲを求め、所定のしきい値との大小比較を行うことで同期が確立しているか、外れているかを判定し、その判定結果を制御部１０６に出力する。ここで、同期判定結果が「同期外れ」を示しているときは、信号入力が無い状態であり、「同期確立」を示しているときは、正規の受信処理が行われている状態である。
【００２８】
制御部１０６は、同期判定部１０５での同期判定結果に基づいて前記遅延プロファイル平均化長を制御する。
【００２９】
具体的には、制御部１０６は、同期判定結果が「同期外れ」を示しているときは、遅延プロファイル平均部１０２に与える忘却係数αを小さくして遅延プロファイル平均化長が小さくなるように遅延プロファイル平均部１０２を制御する。これによって、パス位相の検出に対する応答性を高めて信号入力を待機することができるので、信号が入力した時に即座にパスを検出する、つまり同期確立移行時間を早めることができる。
【００３０】
この場合、平均化長を小さくすることで遅延プロファイルの精度は劣化するが、たとえ雑音をパス位相として検出してしまっても、同期外れ時には信号を復調しないので、受信品質が悪くなることはない。
【００３１】
そして、制御部１０６は、同期判定結果が「同期確立」を示しているときは、遅延プロファイル平均部１０２に与える忘却係数αを大きくして遅延プロファイル平均化長が大きくなるように遅延プロファイル平均部１０２を制御する。これによって、パス位相の検出に対する応答性が緩やかになるため、信号入力時では雑音の影響を低減し、パス検出精度及び受信品質を高めることができる。
【００３２】
このように、実施の形態１によれば、同期状態に基づき、遅延プロファイル平均化長を制御することにより、パスサーチ精度及び受信品質を劣化させることなく、同期確立移行時間を短くすることができる。 
【００３３】
（実施の形態２）
図２は本発明の実施の形態２に係るＣＤＭＡ受信装置の構成を示すブロック図である。なお、図２では、図１（実施の形態１）に示した構成要素と同一ないしは同等である構成要素には同一の符号が付されている。ここでは、実施の形態２に関わる部分を中心に説明する。
【００３４】
図２に示すように、実施の形態２に係るＣＤＭＡ受信装置２００は、図１（実施の形態１）に示した構成において、遅延プロファイル平均部１０２に代えて遅延プロファイル平均部２０１が設けられ、パス検出部１０３に代えてパス検出部２０２が設けられ、制御部１０６に代えて制御部２０３が設けられている。
【００３５】
パス検出部２０２は、パス候補検出部２０４とこのパス候補検出部２０４の出力を受ける保護部２０５とを備えている。遅延プロファイル平均部２０１の出力は、パス候補検出部２０４に入力される。制御部２０３の出力は、保護部２０５に入力される。保護部２０５の出力は、フィンガ部１０４に入力される。
【００３６】
以上のように構成される実施の形態２に係るＣＤＭＡ受信装置の動作を説明する。遅延プロファイル平均部２０１は、忘却係数αとして予め定めた値を用いて上記の式１の演算を行い、遅延プロファイル作成部１０１が所定の周期ｎで作成した遅延プロファイルの平均化処理を行う。
【００３７】
パス検出部２０２では、パス候補検出部２０４が、遅延プロファイル平均部２０１から出力される平均後の遅延プロファイルの相関値ピークを検出し、フィンガ部１０４に設定するパス位相の候補であるパス候補を検出し、保護部２０５に与える。
【００３８】
保護部２０５は、パス候補検出部２０４が検出したパス候補に対して制御部２０３から指定された保護段数分だけ後方保護を行う。ここで、後方保護とは、保護段数分連続してパス候補の相関値が所定のしきい値以上にならない限り正式にフィンガ部１０４に設定するパス位相とは判定しないことをいう。
【００３９】
例えば、制御部２０３から指定された保護段数が「４」の場合、パス候補の相関値がしきい値以上であることが連続して４回行われた場合にフィンガ部１０４に設定するパス位相として出力する。このように後方保護段数を設けることで、雑音をパス位相として設定することが防止でき、受信性能を向上させることができる。
【００４０】
制御部２０３は、同期判定部１０５での同期判定結果に基づいて保護部２０５に指示する保護段数を制御する。
【００４１】
具体的には、制御部２０３は、同期判定結果が「同期外れ」を示しているときは、保護部２０５に指示する保護段数を小さくする。これによって、パス位相の検出に対する応答性を高めて信号入力を待機することができるので、信号が入力した時に即座にパスを検出する、つまり同期確立移行時間を早めることができる。
【００４２】
この場合、パス位相検出における保護段数を小さくすることで雑音をパス位相として検出することが起こっても、同期外れ時には信号を復調しないので、受信品質が悪くなることはない。
【００４３】
そして、制御部２０３は、同期判定結果が「同期確立」を示しているときは、保護部２０５に指示する保護段数を大きくする。これによって、パス位相の検出に対する応答性を緩やかになるため、信号入力時では、雑音の影響を低減し、パス検出精度及び受信品質を高めることができる。
【００４４】
このように、実施の形態２によれば、同期状態に基づき、後方保護段数を制御することにより、パスサーチ精度及び受信品質を劣化させることなく、同期確立移行時間を短くすることができる。
【００４５】
（実施の形態３）
図３は本発明の実施の形態３に係るＣＤＭＡ受信装置の構成を示すブロック図である。なお、なお、図３では、図１（実施の形態１）に示した構成要素と同一ないしは同等である構成要素には同一の符号が付されている。ここでは、実施の形態３に関わる部分を中心に説明する。
【００４６】
図３に示すように、実施の形態３に係るＣＤＭＡ受信装置３００は、図１（実施の形態１）に示した構成において、遅延プロファイル作成部１０１に代えて遅延プロファイル作成部３０１が設けられ、遅延プロファイル平均部１０２に代えて実施の形態２にて示した遅延プロファイル平均部２０１が設けられ、制御部１０６に代えて制御部３０２が設けられ、作成周期設定部３０３が追加されている。制御部３０２の出力は、作成周期設定部３０３に入力される。作成周期設定部３０３の出力は、遅延プロファイル作成部３０１に入力される。
【００４７】
以上のように構成される実施の形態３に係るＣＤＭＡ受信装置の動作を説明する。作成周期設定部３０３は、制御部３０２から指定される遅延プロファイル作成周期を遅延プロファイル作成部３０１に設定する。したがって、遅延プロファイル作成部３０１は、固定の周期ではなく、制御部３０２が指定する周期で受信信号と拡散コードとの相関を取り、遅延プロファイルを作成することになる。
【００４８】
制御部３０２は、同期判定部１０５での同期判定結果に基づいて作成周期設定部３０３に指示する遅延プロファイル作成周期を制御する。
【００４９】
具体的には、制御部３０２は、同期判定結果が「同期外れ」を示しているときは、作成周期設定部３０３に指示する遅延プロファイル作成周期を小さくする。これによって、パス位相の検出に対する応答性を高めて信号入力を待機することができるので、信号が入力した時に即座にパスを検出する、つまり同期確立移行時間を早めることができる。
【００５０】
この場合、遅延プロファイルの平均化長が小さくなるので遅延プロファイルの精度は劣化するが、たとえ雑音をパス位相として検出してしまっても、同期外れ時には信号を復調しないので、受信品質が悪くなることはない。
【００５１】
そして、制御部３０２は、同期判定結果が「同期確立」を示しているときは、作成周期設定部３０３に指示する遅延プロファイル作成周期を大きくする。これによって、パス位相の検出に対する応答性が緩やかになるため、信号入力時では、雑音の影響を低減し、パス検出精度及び受信品質を高めることができる。
【００５２】
このように、実施の形態３によれば、同期状態に基づき、遅延プロファイル作成周期を制御することにより、パスサーチ精度及び受信品質を劣化させることなく、同期確立移行時間を短くすることができる。
【産業上の利用可能性】
【００５３】
本発明は、パスサーチ精度及び受信品質を劣化させることなく、同期確立移行時間を短くするのに好適である。
【図面の簡単な説明】
【００５４】
【図１】本発明の実施の形態１に係るＣＤＭＡ受信装置の構成を示すブロック図
【図２】本発明の実施の形態２に係るＣＤＭＡ受信装置の構成を示すブロック図
【図３】本発明の実施の形態３に係るＣＤＭＡ受信装置の構成を示すブロック図
【符号の説明】
【００５５】
１００、２００、３００  ＣＤＭＡ受信装置
１０１、３０１  遅延プロファイル作成部
１０２、２０１  遅延プロファイル平均部
１０３、２０２  パス検出部
１０４  フィンガ部
１０５  同期判定部
１０６、２０３、３０２  制御部
２０４  パス候補検出部
２０５  保護部
３０３  作成周期設定部
【図１】
2006086659.tif 000003
【図２】
2006086659.tif 000004
【図３】
2006086659.tif 000005